(57)【要約】【課題】複数のピッキング作業者が作業を行う場合でも、作業領域の干渉を抑制し、作業効率を向上させる。【解決手段】実施形態の薬剤ピッキング支援装置の判別手段は、複数の並設された通路に沿って配置された複数の薬剤棚から薬剤をピッキングする薬剤のピッキング作業を同時並行して行うこととなるピッキング作業者の有無を判別する。選択手段は、判別の結果、同時並行して作業を行うこととなるピッキング作業者がいる場合に、ピッキング対象として設定可能な通路、ピッキング作業方向あるいはピッキング作業位置のうち、判別手段の判別の結果に基づいて、同時に前記ピッキング作業を行うピッキング作業者がより少ない通路、ピッキング作業方向あるいはピッキング作業位置を選択する。これにより、提示手段は、選択の結果に基づいて、新たなピッキング作業者のピッキング作業手順を提示する。【選択図】図７
2014174578.tif 000002
【特許請求の範囲】
【請求項１】
複数の並設された通路に沿って配置された複数の薬剤棚から薬剤をピッキングする薬剤のピッキング作業を同時並行して行うこととなるピッキング作業者の有無を判別する判別手段と、
前記判別の結果、同時並行して作業を行うこととなるピッキング作業者がいる場合に、ピッキング対象として設定可能な前記通路、ピッキング作業方向あるいはピッキング作業位置のうち、前記判別の結果に基づいて、同時に前記ピッキング作業を行うピッキング作業者がより少ない前記通路、ピッキング作業方向あるいはピッキング作業位置を選択する選択手段と、
前記選択の結果に基づいて、新たなピッキング作業者のピッキング作業手順を提示する提示手段と、
を備えた薬剤ピッキング支援装置。
【請求項２】
前記選択手段は、同時に前記ピッキング作業を行うピッキング作業者がより少ない前記通路を選択する第１選択手段と、
前記第１選択手段により選択された前記通路について、同時に前記ピッキング作業を行うピッキング作業者がより少ないピッキング作業方向及びピッキング作業位置を選択する第２選択手段と、
を備えた請求項１記載の薬剤ピッキング支援装置。
【請求項３】
前記第２選択手段は、前記第１選択手段が選択した前記通路に既にピッキング作業者がいる場合には、ピッキング対象の薬剤数が少ないピッキング作業方向あるいはピッキング作業位置を選択する、
請求項２記載の薬剤ピッキング支援装置。
【請求項４】
前記ピッキング作業位置は、薬剤棚及び同一の薬剤棚における高さ位置として設定される、
請求項１乃至請求項３のいずれかに記載の薬剤ピッキング支援装置。
【請求項５】
前記提示手段は、前記ピッキング作業手順として、ピッキング作業順序及びピッキング作業動線を提示する、
請求項１乃至請求項４のいずれかに記載の薬剤ピッキング支援装置。
【請求項６】
薬剤のピッキング作業の支援を行う薬剤ピッキング支援装置をコンピュータにより制御する制御プログラムであって、
前記コンピュータを、
複数の並設された通路に沿って配置された複数の薬剤棚から薬剤をピッキングする薬剤のピッキング作業を同時並行して行うこととなるピッキング作業者の有無を判別する判別手段と、
前記判別の結果、同時並行して作業を行うこととなるピッキング作業者がいる場合に、ピッキング対象として設定可能な前記通路、ピッキング作業方向あるいはピッキング作業位置のうち、前記判別の結果に基づいて、同時に前記ピッキング作業を行うピッキング作業者がより少ない前記通路、ピッキング作業方向あるいはピッキング作業位置を選択する選択手段と、
前記選択の結果に基づいて、新たなピッキング作業者のピッキング作業手順を提示する提示手段と、
して機能させる制御プログラム。
【発明の詳細な説明】
【技術分野】
【０００１】
本発明の実施形態は、薬剤ピッキング支援装置及び制御プログラムに関する。
【背景技術】
【０００２】
従来、病院の薬剤部や、病棟の看護師ルームなどにおいては、薬剤師や看護師が医師の作成した処方箋（注射処方箋）に基づいて処方する薬剤を取り揃えるピッキング作業を行っていた。
ピッキング作業を行うに際しては、膨大な種類の薬剤が収納された薬剤棚から処方箋（処方薬剤リスト）を見るとともに、薬剤棚における処方薬となっている複数の薬剤の収納場所を確認して、指示された処方薬を所定数だけ取り揃えることとなっていた。
このピッキング作業の簡便化を行うために、薬剤棚自身がピッキング作業者に薬剤の収納位置を知らせるシステムも提案されている。
さらに複数のピッキング作業者がそれぞれ識別可能にそれぞれの薬剤の収納位置を知らせるシステムも提案されている。
【発明の概要】
【発明が解決しようとする課題】
【０００３】
しかしながら、従来のシステムにおいては、薬剤棚における薬剤の収納位置はそれぞれのピッキング作業者が理解できるものの、実際のピッキング作業においては、複数のピッキング作業者がそれぞれ独自にピッキング作業を行うため、互いのピッキング作業場所が近づいてしまったり、同一の薬剤をピッキングしようとしてしまったり、必ずしも効率的にピッキング作業が行えるものではなかった。
特に複数の薬剤棚を薬剤庫において効率よく収納させるために、薬剤棚間の通路が狭いような場合には、複数のピッキング作業者の作業領域が干渉して作業効率が非常に低下する畏れがあった。
【課題を解決するための手段】
【０００４】
実施形態の薬剤ピッキング支援装置の判別手段は、複数の並設された通路に沿って配置された複数の薬剤棚から薬剤をピッキングする薬剤のピッキング作業を同時並行して行うこととなるピッキング作業者の有無を判別する。
選択手段は、判別の結果、同時並行して作業を行うこととなるピッキング作業者がいる場合に、ピッキング対象として設定可能な通路、ピッキング作業方向あるいはピッキング作業位置のうち、判別手段の判別の結果に基づいて、同時に前記ピッキング作業を行うピッキング作業者がより少ない通路、ピッキング作業方向あるいはピッキング作業位置を選択する。
これにより、提示手段は、選択の結果に基づいて、新たなピッキング作業者のピッキング作業手順を提示する。
【図面の簡単な説明】
【０００５】
【図１】図１は、薬剤処方管理システムの概要構成ブロック図である。
【図２】図２は、ハンディターミナルの概要構成ブロック図である。
【図３】図３は、薬剤部サーバの概要構成ブロック図である。
【図４】図４は、ピッキング開始列（通路）の決定処理の処理フローチャートである。
【図５】図５は、ピッキング方向の決定処理の処理フローチャートである。
【図６】図６は、ピッキング方法決定処理の処理フローチャートである。
【図７】図７は、ピッキング開始列に既にピッキング中の他の薬剤師がいない場合のピッキング作業の説明図である。
【図８】図８は、同一のピッキング対象列（対象通路）にピッキング中の他の薬剤師がいる場合のピッキング作業の説明図である。
【図９】図９は、同一のピッキング対象薬剤棚にピッキング中の他の薬剤師がいる場合のピッキング作業の説明図である。
【発明を実施するための形態】
【０００６】
次に実施形態の好適な態様について図面を参照して説明する。
図１は、薬剤処方管理システムの概要構成ブロック図である。
薬剤処方管理システム１０は、電子カルテを管理し、記憶する電子カルテサーバ１１と、電子カルテの記入などを行うための医師用の情報処理端末装置１２と、薬剤部に配置され薬剤払出等を管理するとともに、薬剤ピッキング支援装置として機能する薬剤部サーバ１３と、薬剤師等の薬剤ピックアップ作業を行うピッキング作業者により携帯可能であり、各電子カルテに含まれる処方箋情報に基づいて薬剤のピックアップ（取り揃え）等における作業支援を行う複数のハンディターミナル１４と、薬剤ピックアップボックス１５と一体に形成されたピックアップ専用情報処理端末装置１６と、それぞれ一種類の薬剤を収納可能な収納部１８Ｘを複数有する薬剤棚１８と、ハンディターミナル１４及びピックアップ専用情報処理端末装置１６と通信ネットワーク１９との間を無線接続する無線アクセスポイント２０と、を備えている。
上記構成において、電子カルテサーバ１１、情報処理端末装置１２、薬剤部サーバ１３及び無線アクセスポイント２０は、通信ネットワーク１９に接続されている。
【０００７】
図２は、ハンディターミナルの概要構成ブロック図である。
ハンディターミナル１４は、ハンディターミナル１４全体を制御するＭＰＵ３１と、ＭＰＵ３１の制御プログラムを含む各種データを不揮発的に記憶するＲＯＭ３２と、ＭＰＵ３１のワーキングエリアとしても用いられ、各種データを一時的に記憶するＲＡＭ３３と、タッチパネルディスプレイ３４を構成し、各種情報を表示するディスプレイ３５と、タッチパネルディスプレイ３４を構成し、各種情報の入力操作を行うためのタッチパネル３６と、ピッキング作業者を特定するＩＤカードや薬剤ピックアップのオーダーシート等に設けられている一次元バーコード、二次元バーコードなどのコードシンボルを読み込むためのスキャナ３７と、無線アクセスポイント２０との間の通信インタフェース動作を行う通信インタフェース（Ｉ／Ｆ）３８と、を備えている。
【０００８】
図３は、薬剤部サーバの概要構成ブロック図である。
薬剤部サーバ１３は、薬剤部サーバ１３全体を制御するＭＰＵ４１と、ＭＰＵ４１の制御プログラムを含む各種データを不揮発的に記憶するＲＯＭ４２と、ＭＰＵ４１のワーキングエリアとしても用いられ、各種データを一時的に記憶するＲＡＭ４３と、各種情報を表示するディスプレイ４４と、キーボード、マウス等として構成され、各種情報の入力操作を行うための操作入力部４５と、薬剤の払い出し管理、在庫管理などを行うための薬剤管理データベースや、薬剤ピッキング作業を支援するための薬剤棚１８の配置等の薬剤ピッキングデータベースを格納したＨＤＤ等で構成される外部記憶装置４６と、通信ネットワーク１９との間の通信インタフェース動作を行う通信インタフェース（Ｉ／Ｆ）４７と、を備えている。
【０００９】
次に実施形態の動作を説明する。
以下の説明においては、ピッキング作業者が薬剤師である場合を例として説明する。
まず、薬剤部サーバ１３のＭＰＵ４１は、ピッキング開始列（ピッキング開始通路）を決定する。
【００１０】
図４は、ピッキング開始列（通路）の決定処理の処理フローチャートである。
まず、薬剤部サーバ１３のＭＰＵ４１は、既にピッキング中の他の薬剤師がいるか否かを判別する（ステップＳ１１）。
【００１１】
ステップＳ１１の判別において、薬剤部サーバ１３のＭＰＵ４１は、ピッキング中の他の薬剤師がいない場合には（ステップＳ１１；Ｎｏ）、ピッキングする薬剤の多い方の端を開始列としてピッキング開始列決定処理を終了する（ステップＳ１２）。
ステップＳ１１の判別において、ピッキング中の他の薬剤師がいる場合には（ステップＳ１１；Ｙｅｓ）、薬剤部サーバ１３のＭＰＵ４１は、既にピッキング中の他の薬剤師が二人以上いるか否かを判別する（ステップＳ１３）。
【００１２】
ステップＳ１３の判別において、既にピッキング中の他の薬剤師が一人しかいない場合には（ステップＳ１３；Ｎｏ）、薬剤部サーバ１３のＭＰＵ４１は、他の薬剤師と逆側の端を開始列とする（ステップＳ１４）。
ステップＳ１３の判別において、既にピッキング中の他の薬剤師が二人以上いる場合には（ステップＳ１３；Ｙｅｓ）、薬剤部サーバ１３のＭＰＵ４１は、薬剤師がおらず、かつ、ピッキングすべき薬剤がある列が存在するか否かを判別する（ステップＳ１５）。
【００１３】
ステップＳ１５の判別において、薬剤師がおらず、かつ、ピッキングすべき薬剤がある列が存在する場合には（ステップＳ１５；Ｙｅｓ）、薬剤師がおらず、かつ、ピッキングすべき薬剤がある列のうち、ピッキングすべき薬剤が最も多い列を開始列としてピッキング開始列決定処理を終了する（ステップＳ１６）。
【００１４】
ステップＳ１５の判別において、薬剤師がおらず、かつ、ピッキングすべき薬剤がある列が存在しない場合には（ステップＳ１５；Ｎｏ）、同じ端からスタートした他の薬剤師の残りのピッキング対象薬剤数の合計が少ない方の端を開始列としてピッキング開始列決定処理を終了する（ステップＳ１７）。
ピッキング開始列が決定すると、薬剤部サーバ１３のＭＰＵ４１は、ピッキング方向を決定する。
【００１５】
図５は、ピッキング方向の決定処理の処理フローチャートである。
続いて、薬剤部サーバ１３のＭＰＵ４１は、該当する列にピッキング対象の薬剤があるか否かを判別する（ステップＳ２１）。
ステップＳ２１の判別において、該当する列にピッキング対象の薬剤がない場合には（ステップＳ２１；Ｎｏ）、薬剤部サーバ１３のＭＰＵ４１は、当該列をスキップして次の列を判別対象として、処理をステップＳ２１に移行する（ステップＳ２２）。
【００１６】
ステップＳ２１の判別において、該当する列にピッキング対象の薬剤がある場合には（ステップＳ２１；Ｙｅｓ）、薬剤部サーバ１３のＭＰＵ４１は、同じ列に既にピッキング中の他の薬剤師がいるか否かを判別する（ステップＳ２３）。
ステップＳ２３の判別において、同じ列に既にピッキング中の他の薬剤師がいない場合には（ステップＳ２３；Ｎｏ）、薬剤部サーバ１３のＭＰＵ４１は、現在位置に近い方から遠い方へ向かう方向をピッキング方向として、ピッキング方向の決定処理を終了する（ステップＳ２４）。
【００１７】
ステップＳ２３の判別において、同じ列に既にピッキング中の他の薬剤師がいる場合には（ステップＳ２３；Ｙｅｓ）、薬剤部サーバ１３のＭＰＵ４１は、同じ列に既にピッキング中の他の薬剤師が二人以上いるか否かを判別する（ステップＳ２５）。
【００１８】
ステップＳ２５の判別において、同じ列に既にピッキング中の他の薬剤師が一人しかいない場合には（ステップＳ２５；Ｎｏ）、薬剤部サーバ１３のＭＰＵ４１は、既にピッキング中の他の薬剤師の進行方向と逆の方向をピッキング方向として、ピッキング方向の決定処理を終了する（ステップＳ２６）。
ステップＳ２５の判別において、同じ列に既にピッキング中の他の薬剤師が二人以上いる場合には（ステップＳ２５；Ｙｅｓ）、薬剤部サーバ１３のＭＰＵ４１は、同じ方向からスタートした薬剤師と同列の残りピッキング薬剤数の少ない方向と同じ方向をピッキング方向として、ピッキング方向の決定処理を終了する（ステップＳ２７）。
【００１９】
ピッキング方向が決定すると、薬剤部サーバ１３のＭＰＵ４１は、ピッキング方法を決定する。
図６は、ピッキング方法決定処理の処理フローチャートである。
薬剤部サーバ１３のＭＰＵ４１は、同じ列に既にピッキング中の他の薬剤師がいるか否かを判別する（ステップＳ３１）。
【００２０】
ステップＳ３１の判別において、同じ列に既にピッキング中の他の薬剤師がいない場合には（ステップＳ３１；Ｎｏ）、薬剤部サーバ１３のＭＰＵ４１は、左右の棚から移動距離が一番近い方法でピッキングを行うようにしてピッキング方法決定処理を終了する（ステップＳ３２）。
ステップＳ３１の判別において、同じ列に既にピッキング中の他の薬剤師がいる場合には（ステップＳ３１；Ｙｅｓ）、同じ列に既にピッキング中の他の薬剤師が二人以上いるか否かを判別する（ステップＳ３３）。
【００２１】
ステップＳ３３の判別において、同じ列に既にピッキング中の他の薬剤師が一人しかいない場合には（ステップＳ３３；Ｎｏ）、先に薬剤棚にいる他の薬剤師がピッキングしている薬剤棚に対向している薬剤棚をピッキング対象の薬剤棚として、ピッキング方法の決定処理を終了する（ステップＳ３４）。
【００２２】
ステップＳ３３の判別において、同じ列に既にピッキング中の他の薬剤師が二人以上いる場合には（ステップＳ３３；Ｙｅｓ）、同じ棚をピッキングしている薬剤師が少ない薬剤棚を選択し、当該薬剤棚において、他の薬剤師がピッキングを行っている棚位置とは、上下逆の棚位置をピッキング対象位置として、ピッキング方法の決定処理を終了する（ステップＳ３５）。
【００２３】
上記処理の結果、ハンディターミナル１４のディスプレイあるいはピックアップ専用情報処理端末装置１６のディスプレイには、ピッキング対象の薬剤のリストがピックアップ順に表示されるとともに、各薬剤が収納されている収納部１８Ｘを有する薬剤棚１８を特定する情報が表示されるので、ピッキング担当者である各薬剤師は、当該表示をみてピッキングを行うだけで、互いが同時並行して薬剤のピッキング作業を行う場合でも、互いの作業領域の干渉を抑制して作業効率を向上させることができる。
【００２４】
次にピッキング作業の具体例を説明する。
【００２５】
図７は、ピッキング開始列に既にピッキング中の他の薬剤師がいない場合のピッキング作業の説明図である。
図７は、薬剤棚を天井側から見た場合の図である。
図７の例の場合、薬剤棚１８は、全部で８個有り、２個ずつ背中合わせに配置されている。従って、ピッキング作業者がピッキング作業を行う列（作業通路）は、列Ｌ１〜Ｌ５の５列存在するものとする。
【００２６】
そして、第１のピッキング作業者である薬剤師ＰＡは、列Ｌ２がピッキング対象の薬剤棚１８がある列である。また、第２のピッキング作業者である薬剤師ＰＢは、列Ｌ２がピッキング対象の薬剤棚１８がある列である。
そして、薬剤師ＰＡは、薬剤棚１８の両側端のうち、図７中、下側に位置する端側をピッキング開始位置とされ、薬剤師ＰＢは、図中上側に位置する端側をピッキング開始位置とされている。
【００２７】
そして、薬剤師ＰＡのピッキング作業の進行方向は、波線矢印ＡＡ１の示す方向であり、薬剤師ＰＢのピッキング作業の進行方向は、波線矢印ＢＢ１の示す方向であり、薬剤師Ａのピッキング作業の進行方向とは逆方向となっている。
【００２８】
図７において、実線折れ線矢印ＡＡ２の折れ位置は、薬剤師ＰＡの薬剤ピッキング位置を示している。同様に実線折れ線矢印ＢＢ２の折れ位置は、薬剤師ＰＢの薬剤ピッキング位置を示している。
【００２９】
図７に示すように、ピッキング開始列（通路）を異なる列(図７の例の場合、列Ｌ２及び列Ｌ４）とするとともに、ピッキング作業方向（図７の例の場合、破線矢印ＡＡ１方向及び破線矢印ＢＢ１）をできる限り一緒にしないようにすることにより、以降のピッキング作業においても、作業領域が干渉するのを抑制することが可能となる。
【００３０】
図８は、同一のピッキング対象列（対象通路）にピッキング中の他の薬剤師がいる場合のピッキング作業の説明図である。
図８は、薬剤棚を天井側から見た場合の図である。
図８において、薬剤師ＰＡは、薬剤棚１８の両側端のうち、図８中、下側に位置する端Ｔ１側を当該列Ｌ３におけるピッキング開始位置とされ、薬剤師ＰＢは、図中上側に位置する端Ｔ２側を当該列Ｌ３におけるピッキング開始位置とされている。
また、薬剤師ＰＡは、列Ｌ３において向かい合わせになっている薬剤棚１８Ａ、１８Ｂのうち、薬剤棚１８Ａがピッキング作業位置とされ、薬剤師ＰＢは、列Ｌ３において向かい合わせになっている薬剤棚１８Ａ、１８Ｂのうち、薬剤棚１８Ｂがピッキング作業位置とされる。
【００３１】
そして、薬剤師ＰＡのピッキング作業の進行方向は、波線矢印ＡＡ３の示す方向であり、薬剤師ＰＢのピッキング作業の進行方向は、波線矢印ＢＢ３の示す方向であり、薬剤師ＰＡのピッキング作業の進行方向とは逆方向となっている。
【００３２】
図８において、実線折れ線矢印ＡＡ４の折れ位置は、薬剤師ＰＡの薬剤ピッキング位置を示している。同様に実線折れ線矢印ＢＢ４の折れ位置は、薬剤師ＰＢの薬剤ピッキング位置を示している。
【００３３】
図８に示したように、ピッキング対象列（通路）が同一である場合(図８の例の場合、列Ｌ３）とするとともに、ピッキング作業方向（図８の例の場合、破線矢印ＡＡ３方向及び破線矢印ＢＢ３）をできる限り一緒にしないようにする。さらに、ピッキング作業位置を異ならせること（図８では、薬剤棚１８Ａ及び薬剤棚１８Ｂ）により、同時並行してピッキング作業を行っても、作業領域が干渉するのを抑制することが可能となる。
【００３４】
図９は、同一のピッキング対象薬剤棚にピッキング中の他の薬剤師がいる場合のピッキング作業の説明図である。
図９は、薬剤棚１８を正面側から見た場合の図である。
図９において、薬剤師ＰＡは、薬剤棚１８の複数の収納部１８Ｘを上部側と下部側とに二つに分けた場合に、上側に位置する複数の収納部１８Ｘをピッキング作業位置とされ、薬剤師ＰＢは、下側に位置する複数の収納部１８Ｘをピッキング作業位置とされる。
また、薬剤師ＰＡは、図中左側に位置する端Ｔ１側を当該薬剤棚１８Ａにおけるピッキング開始位置とされ、薬剤師ＰＢは、図中左側に位置する端Ｔ２側を当該薬剤棚１８Ａにおけるピッキング開始位置とされている。
【００３５】
そして、薬剤師ＰＡのピッキング作業の進行方向は、波線矢印ＡＡ５の示す方向であり、薬剤師ＰＢのピッキング作業の進行方向は、波線矢印ＢＢ５の示す方向であり、薬剤師Ａのピッキング作業の進行方向とは逆方向となっている。
【００３６】
図９において、実線折れ線矢印ＡＡ６の折れ位置は、薬剤師ＰＡの薬剤ピッキング位置を示している。同様に実線折れ線矢印ＢＢ６の折れ位置は、薬剤師ＰＢの薬剤ピッキング位置を示している。
【００３７】
図９に示したように、ピッキング対象薬剤棚が同一である場合(図９の例の場合、薬剤棚１８Ａ）ピッキング作業位置を上下に分けるとともに、ピッキング作業方向（図９の例の場合、破線矢印ＡＡ５方向及び破線矢印ＢＢ５）をできる限り一緒にしないようにする。さらに、ピッキング作業位置を異ならせること（図８では、薬剤棚１８Ａ及び薬剤棚１８Ｂ）により、同時並行してピッキング作業を行っても、作業領域が干渉するのを抑制することが可能となる。
【００３８】
以上の説明のように、本実施形態によれば、複数のピッキング作業者が同時並行して薬剤のピッキング作業を行う場合でも、互いの作業領域の干渉を抑制して作業効率を向上させることができる。
【００３９】
以上の説明においては、薬剤部サーバ１３が薬剤ピッキング支援装置として機能していたが、電子カルテサーバを薬剤ピッキング支援装置として機能させたり、別途薬剤ピッキング支援装置として機能するサーバを設けたりするように構成することも可能である。また、またネットワーク上に設けられた複数の情報処理装置（コンピュータ）をクラウドサーバとして構成することも可能である。
【００４０】
以上の説明においては、薬剤ピッキング支援装置を病院で用いる場合を例として説明したが、これに限らず、調剤薬局、研究室、実験室等の薬剤ピッキング（薬品ピッキング）を行う必要がある部門であれば、同様に適用することが可能である。
【００４１】
本実施形態の薬剤ピッキング支援装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４２】
また、本実施形態の薬剤ピッキング支援装置で実行される制御プログラムを、インターネット等のネットワークに接続されたコンピュータ上に格納し、ネットワーク経由でダウンロードさせることにより提供するように構成しても良い。また、本実施形態の薬剤ピッキング支援装置で実行される制御プログラムをインターネット等のネットワーク経由で提供または配布するように構成しても良い。
【００４３】
また、本実施形態の薬剤ピッキング支援装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０    薬剤処方管理システム
１１    電子カルテサーバ
１２    情報処理端末装置
１３    薬剤部サーバ（薬剤ピッキング支援装置）
１４    ハンディターミナル
１５    薬剤ピックアップボックス
１６    ピックアップ専用情報処理端末装置
１８、１８Ａ、１８Ｂ  薬剤棚
１８Ｘ  収納部
１９    通信ネットワーク
２０    無線アクセスポイント
３１    ＭＰＵ
３２    ＲＯＭ
３３    ＲＡＭ
３４    タッチパネルディスプレイ
３５    ディスプレイ
３６    タッチパネル
３７    スキャナ
４１    ＭＰＵ
４２    ＲＯＭ
４３    ＲＡＭ
４４    ディスプレイ
４５    操作入力部
４６    外部記憶装置
Ｌ１〜Ｌ５    列（通路）
ＰＡ、ＰＢ    薬剤師
【先行技術文献】
【特許文献】
【００４５】
【特許文献１】特開２０１２−０７９１８９号公報
【図１】
2014174578.tif 000003
【図２】
2014174578.tif 000004
【図３】
2014174578.tif 000005
【図４】
2014174578.tif 000006
【図５】
2014174578.tif 000007
【図６】
2014174578.tif 000008
【図７】
2014174578.tif 000009
【図８】
2014174578.tif 000010
【図９】
2014174578.tif 000011